(57)【特許請求の範囲】
【請求項１】
インキタンクと描線部との間にインキ導通路と溢流インキを保溜するインキ保溜部とを設け、インキタンクには空気置換孔を設けている筆記具において、
インキ保溜部は、平板状に広がる枚葉体を積みかさねて構成したものであり、
該枚葉体は、その表面に適宜の間隔をもたせた位置に複数個の凸部を形成し、該凸部が、積み重なった隣合う枚葉体同士を所望の間隔でほぼ平行に位置させることにより溢流インキを保溜する間隙部を形成し、且つ、間隙部を構成する全ての枚葉体がインキ導通路に接していることを特徴とする筆記具。
【請求項２】
凸部は、印刷方法により形成することを特徴とする請求項１に記載の筆記具。
【請求項３】
枚葉体は、プラスチックフィルムからなることを特徴とする請求項１または２に記載の筆記具。
【請求項４】
枚葉体は、金属板からなることを特徴とする請求項１または２に記載の筆記具。
【請求項５】
インキ導通路は、長繊維又は短繊維による繊維束を用いて作成した中継芯からなることを特徴とする請求項１，２，３及び４のうちのいずれか１に記載の筆記具。
【請求項６】
インキ導通路は、長繊維又は短繊維による繊維束を用いて作成したペン先の後ろ側をインキタンク迄伸ばしたものであり、ペン先とインキ導通路を一体に形成したことを特徴とする請求項１，２，３及び４のうちのいずれか１に記載の筆記具。
【請求項７】
インキ導通路は、プラスチックの焼結芯を用いて作成した中継芯からなることを特徴とする請求項１，２，３及び４のうちのいずれか１に記載の筆記具。
【請求項８】
インキ導通路は、プラスチックの焼結芯を用いて作成したペン先の後ろ側をインキタンク迄伸ばしたものであり、ペン先とインキ導通路を一体に形成したことを特徴とする請求項１，２，３及び４のうちのいずれか１に記載の筆記具。
【発明の詳細な説明】
【０００１】
【発明の属する技術分野】
本発明は筆記具に係わり、特にインキタンク内のインキをペン先まで供給するインキ導通路とインキタンク内と外部との環境変化等による圧力変化でインキタンクからインキが溢流する場合に溢流インキを保溜するインキ保溜部を設け、インキタンクには空気置換孔を設けている筆記具に関しており、筆記具の中には化粧用などの液体を吐出し塗布または描画や筆記するものを包含するものである。
【０００２】
【従来の技術】
一般に、筆記具はインキタンクからペン先へのインキの移動が常に適量である様に構成されるものであって、溢流インキを保溜する保溜部を具備したものがある。例えば、万年筆、小管式筆記具、サインペン、水性ボールペン、化粧具などの生インキを内蔵する多くの筆記具に使用されている。
【０００３】
この保溜部は、一般的にコレクターあるいは蛇腹あるいは流量調節体などと呼ばれている。以後の記述においてこの保溜部をコレクターと呼ぶ。
このコレクターは、通常、合成樹脂を用いて射出成形により一体の成形品として製造されている。
【０００４】
このようなコレクターを有する筆記具の構成例を図４および図５に示す。
図４および図５に示す筆記具ａは、インキを収容するインキタンクｂ１が内周部に構成されると共に、軸方向に一端が開口した筆記具本体ｂと、薄板状の羽根ｃ１が複数隙間を置いて平行にかつ軸方向に配列された状態（側面視で櫛状に配列されて）に一体成形されて筆記具本体ｂ内に挿入されて、当該羽根ｃ１の間の櫛溝ｃ２にインキを一時的に保溜するコレクターｃと、コレクターｃの前部外周面に嵌合された先軸ｄと、先軸ｄ内に挿着さたペン先ｅ１を有するペン芯ｅと、筆記具本体ｂ後部を収容するように筆記具本体ｂに取り付けられた後軸ｆとを備え、筆記具本体ｂ内に先軸ｄが圧入されるタイプのものであって、サインペンと称されるものである。また、インキタンクｂ１には、インキタンクｂ１内への空気の流通およびあふれたインキをコレクターｃに流通させる空気置換口ｇが形成される。
【０００５】
上記の筆記具において、現状の技術で実用可能で製造可能なコレクターは、一体射出成形の金型の構造上又は射出成形技術上、コレクターｃを縦断面で見て櫛歯状に並んでインキ保溜部を形成している羽根ｃ１の平行間隙巾（ここでは縦断面櫛歯状の歯と歯の間隙を示している；以後、羽根の平行間隙巾をスリット巾と呼ぶ）の最小巾は０．２mm、この羽根ｃ１の奥行（周縁から縦断面櫛歯状の根本まで）の最大値３mm、この羽根ｃ１の厚み（縦断面櫛歯状の縦断面方向の櫛歯の幅）の最小巾０．３mmが最大機能を持ったコレクターである。
【０００６】
一方、コレクターには上記の一体成形のものとは異なり複数の部材部分を組み合わせてなるコレクターとして、実公平６−３８７１１号公報（以下、第１公報という）が開示されている。
前記第１公報開示の技術は、その図面に示されるように、上記従来のコレクターの縦断面櫛歯状のインキ保溜部の櫛歯形状の櫛歯一つ分である偏平部材（１）が、中央部に凸部（３）と凹部（４）を有しており、中央部の厚み、つまり、凸部と凹部の差が周縁部の厚さよりも大きく形成されている。すなわち、この偏平部材は一枚の中で厚みの差を有しており、この扁平部材の厚みの差を利用し、凸部を凹部に嵌入して複数重ね合わせることにより、前記インキ保溜部としての櫛歯形状を形成してなることを特徴とするものである。
【０００７】
同公報の図面より明らかに、縦断面櫛歯形状として、所謂、構造力学で言う所の片持ち梁の構造を取ったものとなっている。さらに、図示はしていないが、ストレートなパイプ体の外側壁に直径の異なる２種の円盤状体を交互に複数個嵌めることでも同様に複数の扁平部材の重ね合わせによる間隙の確保ができると述べている点からも、前記片持ち梁の構造を特徴とする重ね合わせ型櫛歯形状コレクターとして開示しているといえる。
【０００８】
【発明が解決しようとする課題】
筆記具の中で、コレクターの作用機構つまり機能は、次の▲１▼〜▲３▼である。
▲１▼  主には、インキタンク内と外気との圧力差に関わることでペン先からインキのボタ落ちを防ぐことにある。タンク内のインキが空間が無いほど詰まっている状態では問題は生じないが、筆記等のインキの消費に応じてタンク内のインキは外気と置換されタンク内には空間が出来る。タンク内外の圧力差によって、詳しくは外気圧が低下した場合や、インキタンク内の温度上昇でタンク内の圧力が上昇した場合など、インキタンク内圧と外気圧とが釣り合うまでタンク内からインキの溢流が起こる。この溢流インキをコレクターに保溜し、インキがペン先やヘッドからボタ落ちするのを防ぐことである。
【０００９】
▲２▼  インキタンク内圧が外気圧より低下した場合には▲１▼と反対にインキタンク内外の圧力が釣り合うまで外気がタンク内に入って来るのであるが、コレクター内にインキが保溜されている状態では、必ず、その保溜されているインキがタンク内に先に戻り、その上で、まだタンク内の圧力が低い場合に初めて空気置換孔から空気がタンク内に取り込まれるようになっている。
【００１０】
▲３▼  コレクターにインキが存在している場合に筆記等でインキが消費された場合、タンク内のインキより先にコレクター内のインキが消費され（減り）、次いでタンク内のインキが使用されるように構成されているものである。
【００１１】
前記のように、コレクターの製造技術として、合成樹脂の一体射出成形による現状技術では金型製作上及び成形上においてインキ保溜部としてのスリット巾の最小間隔に限度がある。したがって前記溢流インキが発生する状態の場合にペン先からボタ落ちしないでコレクターに保溜するだけのスリットの毛細管力を持たせる事に限界がある。更に、羽根の厚さを薄くする事にも限界があってコレクターの羽根の数を増やして無闇に長くした筆記具を作れる訳ではない。したがって、コレクターのインキ保溜量にも限界があり、前記現状技術のコレクターで実用可能なインキ保溜体積は０．４ml（ミリリットル）程度である。
【００１２】
上記▲１▼で述べた如く、インキタンクの容積を大きくしたい場合必然的にコレクターの保溜容積も大きくしなければならない。インキ保溜容積に限度があるとインキタンクの内容積も制限されることになる。万年筆のような細い描線に対する筆記具に用いるコレクターの場合にはインキタンク内のインキ量が少なくても充分な筆記距離があり、現状技術のコレクターで充分に保溜機能を発揮し、実用に供されている。
【００１３】
しかしながら、最近の筆記具の多様化に対する要求やインキ等の進歩により、アンダーライン用マーカー類等の筆記具や化粧用等のように描画するインキ量（或は塗布液量）が多いものにおいては、頻繁にインキの詰め替えを要する不都合があり、実用化の範囲が限定されるという課題をもつ。
【００１４】
また、前記実公平６−３８７１１号公報（第１公報）の開示技術は、幾つかの問題点を持っている。その要旨からすると円盤状扁平部材の円盤状部分には外縁から中央に向けてスリットが切り込まれており、円盤状部分はＣ字形にリングが開いた状態を呈している。したがって、円盤状部分は周方向に分離されたものとなり、径方向への力に対して構造力学的見地から明らかに円盤状のものより剛性が低く変形し易い。この剛性を確保するためには厚みを薄くすることができず、薄くしたくても厚さの限界があり実用化の範囲が限定される課題をもつ。
【００１５】
さらに、円盤状部分に切り込まれたスリット同士を位置合わせする必要があるため、前記公報の第１図、第２図に示されるように、凸部（３）と凹部（４）とは一部が欠落したような円形状に成形して嵌め合わせており、さらに凸部と凹部との厚み差で羽根としてのスリット巾を形成する方式を取っている。ここで、合成樹脂を用いて組み合わせたコレクターを作成する場合、扁平部材としてのインキを保溜すべきスリット巾の形成に当たって羽根の部分の面積を広くする事や羽根の厚みを薄くする事を羽根の変形を防ぎ平面性を保たせて作成する事は非常に困難で、樹脂材料の選択や射出成形サイクル及び取り数の制限が大きく技術的な困難とコスト低減の障害になる。よって、高価かつインキ保溜容量を充分なものにしにくい課題をもつ。
【００１６】
さらに、上記縦断面櫛歯形状の従来のコレクター構造で前記限界寸法を越えて羽根の厚さを薄くしたり、奥行きを深くしたりした場合、コレクターにインキが流入した状態でペン先側を下向きにしておくとインキが入っている羽根の部分は一時的には平行な等間隔のスリットを保つが、インキの表面張力が作用して時間と共に複数枚の羽根が寄り集まってブロックを形成し、平衡状態になる現象が生ずる。したがって、このブロック内ではスリット間隔が狭まり、一方、隣り合ったブロック同士は一つのスリット巾の間隔に加えてブロック内で狭ばまった幾つかのスリット巾分の合計の分だけ開いてしまう。
【００１７】
開いた部分はコレクターとしての機能であるインキ保持力が無くなり、全ての羽根がブロック化されてしまうとインキ保持力の無くなった分コレクターの保溜量が減ったことになりペン先よりボタ落ち又は直流としてインキが落ちてしまう。キャップをしている状態であれば、キャップ内にインキが溜りキャップを外したときにこぼれ落ちる重大な欠点を持つことになる。また、コレクター部分の体積を考えると、大きく開いた部分の総和の体積だけ保溜出来る体積が減少したことになり、コレクターとして充分な設計を行った筈が機能低下を起こして不具合を生ずるという大きな課題をもつ。
【００１８】
本発明は、前記従来技術の問題点となる課題の解消を目的として、羽根部の薄さの限界を緩和し、コレクター内のインキ保溜容量を大きくし、且つ機能性を向上させたものであり、更には、枚葉体としては素材を選ばず、例えばポリエステルフィルムの二軸延伸物を用いると油性・水性インキ全てに用いることが出来、容易且つ安価に製造することができる筆記具を提供するものである。
【００１９】
【課題を解決するための手段】
本発明は、前記課題を解決するため、次の構成を有する。
請求項１の発明は、インキタンクと描線部との間にインキ導通路と溢流インキを保溜するインキ保溜部とを設け、インキタンクには空気置換孔を設けている筆記具において、インキ保溜部は、平板状に広がる枚葉体を積みかさねて構成したものであり、該枚葉体は、その表面に適宜の間隔をもたせた位置に複数個の凸部を形成し、該凸部が、積み重なった隣合う枚葉体同士を所望の間隔でほぼ平行に位置させることにより溢流インキを保溜する間隙部を形成し、且つ、間隙部を構成する全ての枚葉体がインキ導通路に接していることを特徴とする筆記具である。
【００２０】
請求項２の発明は、凸部は、印刷方法により形成することを特徴とする請求項１に記載の筆記具である。
【００２１】
請求項３の発明は、枚葉体は、プラスチックフィルムからなることを特徴とする請求項１または２に記載の筆記具である。
【００２２】
請求項４の発明は、枚葉体は、金属板からなることを特徴とする請求項１または２に記載の筆記具である。
【００２３】
請求項５の発明は、インキ導通路は、長繊維又は短繊維による繊維束を用いて作成した中継芯からなることを特徴とする請求項１，２，３及び４のうちのいずれか１に記載の筆記具である。
【００２４】
請求項６の発明は、インキ導通路は、長繊維又は短繊維による繊維束を用いて作成したペン先の後ろ側をインキタンク迄伸ばしたものであり、ペン先とインキ導通路を一体に形成したことを特徴とする請求項１，２，３及び４のうちのいずれか１に記載の筆記具である。
【００２５】
請求項７の発明は、インキ導通路は、プラスチックの焼結芯を用いて作成した中継芯からなることを特徴とする請求項１，２，３及び４のうちのいずれか１に記載の筆記具である。
【００２６】
請求項８の発明は、インキ導通路は、プラスチックの焼結芯を用いて作成したペン先の後ろ側をインキタンク迄伸ばしたものであり、ペン先とインキ導通路を一体に形成したことを特徴とする請求項１，２，３及び４のうちのいずれか１に記載の筆記具である。
【００２７】
以下、本発明の原理を説明する。
筆記具において、ペン先側から下向きでコレクター内に溢流インキを保持して平衡状態にある場合は、インキタンクからペン先まで（インキ導通路及びコレクターを含む）インキが繋がっている（今後、これをインキ柱と呼ぶ）ことを示している。
【００２８】
ペン先の位置から任意の位置までの間［例えばコレクター内のスリット巾を構成する相対した羽根の表面同士で毛細管力を発揮しインキを引っ張っている位置（今後上端と呼ぶ）を考えると］のペン先及びインキ導通路を含めてインキ柱の鉛直高さつまり流体力学で言うところの水頭（ヘッド）に見合う力が下向きに働いていることになる。
【００２９】
つまり、上端に於いてはヘッドは零であり、ペン先では液柱の鉛直高さそのものとなる。一方、上端に於ける毛細管力は羽根のインキ導通路側から外周端の方向に働き、コレクター内に溢流インキを保持する力として働いている。上端からペン先迄の液柱内での圧力分布をみると、液柱内の任意の点で上端からの液柱分つまりヘッド分だけ毛細管力から差し引いたものがその位置における外気圧に対する負圧として掛かっていることになる。
【００３０】
上端に於いて毛細管力そのものが負圧であって、作用する方向はコレクター内の個々のスリットの羽根の間隔を狭める方向に働くことになる。より厳密に言うと、羽根の表面を水平に保ちヘッドをコレクターの一つのスリットで一定にするとスリット巾を構成する羽根の表面全体に等分布荷重が掛かった事と同じになる。
【００３１】
従来の前記第１公報に記載のコレクターの構造は、所謂土木建築で言う片持ち梁構造で出来た張り出しの庇などと同じく一枚一枚の羽根が一辺から固定された構造の広がりである。ここで羽根の厚さを薄くしたり断面櫛歯状の固定端からの距離を限界を越えて大きくしたり又はこの両方を行ったりすると、材料力学でいう平板構造で片持ち固定辺をもった平板面に加重を掛けた場合に加重が或る応力以上になると撓が発生するのと同様に、上記毛細管力はインキが入っている部分に対して負圧として働き、羽根の表面にはインキが入っている部分に対して等分布荷重が掛かっている事になり、羽根の厚みと片持ち長さに応じた撓となってスリット巾が狭くなる方向へ変化する事を示している。ブロックを形成するのは隣合った羽根がどちら側に撓み始めるかにより寄り集まりの数が決まってくるカタストロフィーの世界であるが、平衡状態に落ち着くと前述した様な状態となる。
【００３２】
本発明は、所謂土木建築で言う片持ち梁構造で出来た構造を持つ従来のコレクター構造では前記課題解決に対して限度と制約があったものを、同じ土木建築で言う連続梁構造をもたせたコレクター構造として懸案を解決し、併せて容易且つ安価に製造出来るものである。
【００３３】
本発明におけるこの連続梁構造は、建物の床面において床面が撓まない充分な間隔で土台を配置した構造の土台と床面との床組等の関係に見られるのと同様に、前記羽根の厚みを薄くしたり枚葉体の面積を大きくしたり又はその両方を行った場合、羽根が毛細管力とヘッドに起因する曲げ応力で変形を起こさない範囲に、スリット巾の間隔を規制している支点を凸部で構成し、羽根が撓まない範囲で充分な支点間距離を置いて必要または充分な個数羽根の面上に配置することで目的を達成し本発明を完成したものである。
【００３４】
▲１▼  本発明によれば、エンボス加工を施す等により凸部を形成した枚葉体を重ね合わせたコレクターは枚葉体の広さを大きくすることが出来、溢流インキを保溜するコレクターの体積を大きくすることが可能なので、インキタンクを大きくして使用インキ量を多くすることが出来る。
【００３５】
▲２▼  インキを保溜するスリットにおいて、スリット巾を狭くしようとする毛細管力に対して適宜の間隔でのエンボスにより支えられてスリット巾を一定に保つことが出来て、安定なコレクターとして機能する事ができる。
【００３６】
▲３▼  枚葉体の厚さを薄くする事ができ、コレクターの体積におけるインキ保溜空間の体積としての効率を上げることが出来る。
▲４▼  枚葉体として、インキとの濡れ性において最適の加工を平板状の時に施すことで水性・油性など使用インキの多様性を増す事ができる。
【００３７】
【発明の実施の形態】
以下、図面を参照して本発明の実施の形態を詳細に説明する。
図１は実施形態にかかる筆記具、図２は枚葉体の説明図であって、（ａ）は平面図、（ｂ）は（ａ）のＡ−Ａ線断面図、（ｃ）は（ｂ）のＢ部拡大図である。また、図３は、枚葉体を重ねた状態の説明図である。
【００３８】
図１に示すように、実施形態の筆記具１は、外軸筒８に内装されたインキタンク１０とペン芯（描線部に相当）１２との間にインキ導通路１４と溢流インキを保溜するコレクター（インキ保溜部に相当）１６とを設け、インキタンク１０には空気置換孔１８を設けているものである。そして、コレクター１６は、平板状に広がる枚葉体２０を積みかさねて構成したものであって、該枚葉体２０表面に適宜の間隔をもたせた位置に複数個の所望のほぼ同じ凸高さの凸部分（凸部に相当）２２をエンボス加工あるいは印刷方法で施し、該凸部分２２が、積み重なった隣合う枚葉体２０同士を所望の間隔でほぼ平行に位置させることにより溢流インキを保溜する間隙部２４を形成し、且つ、間隙部２４を構成する全ての枚葉体２０はインキ導通路１４に接しているものである。
【００３９】
さらに詳細に説明する。外軸筒８は、全体が概略円筒管形状であって、筆記具１を持つための柄となる部分であって、前記インキタンク１０およびコレクター１６を内包する筒形状の本体部８ａと、この本体部８ａの先端に肩状の段部８ｂを介して繋がりかつ先方に突出し、該本体部８ａよりも小径の円筒形状であってペン芯１２を内嵌して保持するペン芯保持部８ｃとを有している。なお、前記本体部８ａの開放した後端には、尾栓２６が嵌められている。また、この実施形態で先とはペン芯１２側のことであり、後とは尾栓２６側のことである。
【００４０】
インキタンク１０は筆記あるいは塗布する液状インキを収納する容器体であって、外軸筒８内周径よりも小径の本体１０ａの先端部は開口１０ｂとしている。そして、その開口１０ｂの周縁部には、後方に向けて折り返して本体１０ａ半ばまでスカート状あるいは傘状に覆い、かつ、外周径が前記外軸筒８内周径に対応する大径のスカート部１０ｃが一体に形成されており、スカート部１０ｃが外軸筒８本体部８ａ内周面部に嵌着する。それと共に開口１０ｂには、蓋部材２８が嵌入されており、蓋部材２８はその中央部に、インキ導通路１４を挿着保持するやや筒状に後方に延びた内側筒部２８ａを有し、周縁に近い部分に前記開口１０ｂに緊密に嵌入する外側筒部２８ｂが後方に向けて突出形成されている。
【００４１】
ペン芯１２は、繊維材、フェルト材または発泡樹脂または焼結材やプラスチック成形ペン芯及び天然又は合成樹脂からなる筆類などを用いることが出来る。本実施形態では繊維束芯または焼結芯を用いている。このペン芯１２は、先端部１２ｆが先細り形状をしたポイント部であり中央から後端部１２ｒに亙って円柱状になった全体が弾丸形状を呈したものである。そして、ペン芯１２の後端部１２ｒには円柱形状のインキ導通路１４が一体または別体に接合する。また、ペン芯１２は外軸保持部８ｃから先端（ポイント部）から突出して嵌入支持されている。
【００４２】
コレクター１６は、外軸筒８の本体部８ａ前端内周とインキタンク１０前端の蓋部材２８前面部とで囲まれる空間３０内に、複数の枚葉体２０がその中心軸（図２および図３に符号２０ｅで示す）方向に複数重なった状態でかつ中央に共通してインキ導通路１４を挿通した状態で空間３０内に収納されている。なお、空間３０先方は、外軸筒８の肩状段部８ｂ内周面がリブ状に突出して枚葉体１８を支持した状態で塞がれている。
【００４３】
筆記具１の先端部には、外軸筒８のペン芯保持部８ｃから突出したペン芯１２の先端部１２ｆを覆うキャップ体３２がペン芯保持部８ｃに外嵌する。
また、空気置換孔１８は、前記ペン芯保持部８ｃ内周面がリブ状に形成されていて外気を前記空間部３０に繋ぐペン芯との間に空気流通溝が形成されている部分１８ａと、前記空間部３０の枚葉体２０外周縁と外軸筒８本体内周面との間の間隙１８ｂと、蓋部材２８およびインキ導通路１４の間の間隙１８ｃとからなる。なお、空気置換孔１８は、その他適宜位置に形成できる。
【００４４】
枚葉体２０は、図２に示すように、平面視円形の概略平板であって、その面には雄型と雌型でプレス加工により行うエンボス加工により凸部分２２が形成されており、中央部に前記インキ導通路１４を通す中央孔２０ａが穿設されている。そして、凸部分２２が、中央孔２０ａの周縁部と枚葉体２０外周縁部にそれぞれ沿って内と外の２列で配列されている。具体的な例としては、枚葉体２０は直径Ｄ1＝２０ｍｍ、厚さｔ1＝０．１ｍｍ、中央孔径Ｄ2＝５ｍｍである。また、凸部分２２が外径Ｄ3＝１ｍｍで高さｔ2＝０．１ｍｍ突出しており、内側列は中心軸２０ｅを中心として半径Ｒ1＝４ｍｍ（直径８ｍｍ）の円上に９０°の等分割で４つ配列され、外側列は中心軸２０ｅ中心として半径Ｒ2＝９ｍｍ（直径１８ｍｍ）の円上に４５°の等分割で８つ配列されている。
【００４５】
なお、枚葉体２０の形状は上記の円盤形状に限定されず、四角形など適宜形状に形成できる。また、実施形態では、凸部分（凸部）を同心等分割に配列していたが、本発明はこれに限定されるものではない。例えば、枚葉体の凸部をランダムに配列することによって、エンボスの凹部に凸部が入り込まないようにすることもできる。また、枚葉体の製造において、材料の広いシート体またはロール体全面にエンボス加工、あるいは印刷方法などにより凸部を形成したものを、枚葉体形状に打ち抜いて、枚葉体を製造できる。
【００４６】
前記枚葉体２０は、プラスチックフィルムから形成し、あるいは、金属板から形成できる。
また、枚葉体２０の凸部分２２は、上記エンボス加工の他に、印刷方法により形成できる。この場合、フレキソ印刷等の手段により、印刷インキで所望の高さに盛り上げるものや、印刷後加熱処理することにより、印刷インキ部分が発泡して盛り上がるものでもよい。
さらに、枚葉体２０の凸部分により重ねた枚葉体２０同士に所望する間隔が得られ、枚葉体同士を平行にするのが好ましいが、インキ保留体の性能を発揮できる限りは枚葉体同士はほぼ平行であれば足りる。
【００４７】
インキ導通路１４は、長繊維又は短繊維による繊維束を用いて作成した中継芯から構成できる。なお、その他インキ導通路１４には、例えば棒状で外側にスリットを形成したものを用いる事ができる。
また、インキ導通路１４は、長繊維又は短繊維による繊維束を用いて作成したペン芯１２の後ろ側をインキタンク１０迄伸ばしたものであり、ペン芯１２とインキ導通路１４を一体に形成できた。
【００４８】
インキ導通路１４は、プラスチックの焼結芯を用いて作成した中継芯からなるものにできる。また、インキ導通路１４は、プラスチックの焼結芯を用いて作成したペン芯１２の後ろ側をインキタンク１０迄伸ばしたものであり、ペン芯１２とインキ導通路１４が一体に形成できる。
【００４９】
前記実施の形態によれば、エンボス加工により凸部分２２を形成した枚葉体２０を重ね合わせたコレクター１６は枚葉体２０の広さを大きくすることが出来、それにより、溢流インキを保溜するコレクター１６の体積を大きくすることが可能なので、インキタンク１０を大きくして使用インキ量を多くすることが出来る。また、インキを保溜するスリットにおいて、スリット巾を狭くしようとする毛細管力に対して適宜の間隔での凸部分２２により支えられてスリット巾を一定に保つことが出来て、安定なコレクター１６として機能する事ができる。また、枚葉体２０の厚さを薄くする事ができ、コレクター１６の体積におけるインキ保溜空間の体積としての効率を上げることが出来る。枚葉体２０として、インキとの濡れ性において最適の加工を平板状の時に施すことで水性・油性など使用インキの多様性を増す事ができる。
【００５０】
次に、本発明の具体例およびその作用を説明する。
本発明の枚葉体の例（本発明例１〜本発明例４）を説明する。
1.(1)素材
素材(a)(厚さ約100μｍ)  ；テトロンフィルム＃１００Ｓ（帝人(株)製品）
素材(b)(厚さ約188μｍ)  ；テトロンフィルム＃１８８Ｓ（帝人(株)製品）
素材(c)(厚さ約100μｍ)  ；ステンレス鋼板（ｓｕｓ３０４）
素材(d)(厚さ約100μｍ)  ；テトロンフィルム＃１００Ｓ（帝人(株)製品）
【００５１】
(2)ドーナツ板状枚葉体形状；外径φ２０mm，内径φ５mm
(3)エンボス位置（フィルム中心より）；
半径Ｒ＝９mmの位置に等分割（４５°）に
外径φ１mm×８個
半径Ｒ＝４mmの位置に等分割（４５°）に
外径φ１mm×４個
【００５２】
0003838704.tif 000002
【００５３】
0003838704.tif 000003
【００５４】
0003838704.tif 000004
【００５５】
上記の本発明例と比較例の試験結果を次の表１に示す。
この試験の場合、中心にインキ導通路を置いた状態で、本発明例では枚葉体のみを重ね、比較例では各枚葉体の間にスペーサーを挟んで重ねて筆記具のコレクターを形成した。枚葉体の使用枚数は1.(5)のように５０枚である。表１には、それによる各筆記具の仕様を（Ａ）〜（Ｄ）で示し、かつ、その試験結果を合わせて示している。
【００５６】
【表１】
0003838704.tif 000005
【００５７】
表１に示すように、本発明例はいずれの筆記具仕様（Ａ）〜（Ｄ）においても１カ月後において安定していたので、良好な結果がえられた。これに対して、各比較例では、すべての筆記具仕様（Ａ）〜（Ｄ）においても、３０分以内にペン先よりインキが流れだした（直流した）ので、インキがボタ落ちするなど使用に耐え得ないものであった。
したがって、本発明により、安定なコレクターとしての機能を発揮できることが確認された。
【００５８】
【発明の効果】
以上説明したように本発明によれば、羽根部の薄さの限界を緩和し、コレクター内のインキ保溜容量を大きくし、且つ機能性を向上できるものであり、更には、枚葉体としては素材を選ばず、例えばポリエステルフィルムの二軸延伸物を用いると油性・水性インキ全てに用いることが出来、容易且つ安価に筆記具のコレクターを製造することができるという優れた効果を奏する。
【図面の簡単な説明】
【図１】本発明の実施形態にかかる筆記具の全体断面説明図である。
【図２】実施形態にかかる筆記具の枚葉体の説明図であって、（ａ）は平面図、（ｂ）は（ａ）のＡ−Ａ線断面図、（ｃ）は（ｂ）のＢ部拡大図である。
【図３】図２の枚葉体を重ねた説明図である。
【図４】従来の筆記具の説明図である。
【図５】図４の拡大説明図である。
１  筆記具
１０  インキタンク
１２  ペン芯
１４  インキ導通路
１６  コレクター
２０  枚葉体
２２  凸部分
２４  間隙部
【図１】
0003838704.tif 000006
【図２】
0003838704.tif 000007
【図３】
0003838704.tif 000008
【図４】
0003838704.tif 000009
【図５】
0003838704.tif 000010